(57)【要約】  包装物を形成するための積層物。感圧接着剤を用いて二層の積層物が結合される。フラップ地域を開封し且つ再封止し得るように互いに対して偏らされる異なる層における切口を用いて、フラップ地域が積層物の層において切断される。
2015526348.tif 000002
【特許請求の範囲】
【請求項１】
包装物を形成するための積層物であって、
感圧接着剤のみによって第２の層に結合される第１の層と、
該第１の層を通じるが前記第２の層を通じない第１の切口と、
前記第２の層を通じるが前記第１の層を通じない第２の切口とを含み、
前記第１の切口は、前記第１の層においてフラップ地域を定め、前記第２の切口は、前記第１の層における前記フラップ地域内に前記第２の層におけるフラップ地域を定め、
前記第１及び第２の切口の前記配置は、前記第１及び第２の層の前記フラップ地域が前記第１及び第２の切口に沿って共に持ち上げられて当該積層物における開口を創成することを可能にし、前記第１の層は、前記第１及び第２の切口の間の前記第１の地域における前記フラップの周辺領域において前記第２の層から分離される、
積層物。
【請求項２】
包装物を形成するための積層物であって、
永久接着剤のみによって内側の層に結合される第１の層と、
該第１の層が結合される前記内側の層の反対面で、感圧接着剤のみによって前記内側の層に結合される第２の層と、
前記第１の層及び内側の層を通じるが前記第２の層を通じない第１の切口と、
前記第２の層を通じるが前記内側の層又は前記第１の層を通じない第２の切口とを含み、
前記第１の切口は、前記第１の層及び前記内側の層においてフラップ地域を定め、前記第２の切口は、前記第１の層及び前記内側の層における前記フラップ内に前記第２の層におけるフラップ地域を定め、
前記第１及び第２の切口の前記配置は、前記第１、内側、及び第２の層の前記フラップ地域が前記第１及び第２の切口に沿って持ち上げられて当該積層物における開口を創成することを可能にし、前記第２の層は、前記第１及び第２の切口の間の前記第１の地域における前記フラップの周辺領域において前記内側の層から分離される、
積層物。
【請求項３】
包装物を形成するための積層物であって、
感圧接着剤のみによって内側の層に結合される第１の層と、
該第１の層が結合される前記内側の層の反対面で、永久接着剤のみによって前記内側の層に結合される第２の層と、
前記第１の層を通じるが前記内側の層又は前記第２の層を通じない第１の切口と、
前記第２の層及び前記内側の層を通じるが前記第１の層を通じない第２の切口とを含み、
前記第１の切口は、前記第１の層においてフラップ地域を定め、、前記第２の切口は、前記第１の層における前記フラップ地域内に前記内側の層及び前記第２の層におけるフラップ地域を定め、
前記第１及び第２の切口の前記構成は、前記第１、内側、及び第２の層の前記フラップ地域が前記第１及び第２の切口に沿って持ち上げられて当該積層物における開口を創成することを可能にし、前記第１の層が、前記第１及び第２の切口の間の前記第１の地域における前記フラップの周辺領域において前記内側の層から分離される、
積層物。
【請求項４】
前記第１及び第２の層は、配向ポリプロピレンで形成される、請求項１乃至３のうちのいずれか１項に記載の積層物。
【請求項５】
前記内側の層は、アルミニウム箔で形成される、請求項２又は３に記載の積層物。
【請求項６】
当該積層物の少なくとも１つの面は、低温接着剤で塗工される、請求項１乃至５のうちのいずれか１項に記載の積層物。
【請求項７】
前記感圧接着剤は、平方メートル当たり３〜８グラムの範囲内のメートル坪量を有する、請求項１乃至６のうちのいずれか１項に記載の積層物。
【請求項８】
前記永久接着剤は、平方メートル当たり２〜３グラムの範囲内のメートル坪量を有する、請求項１乃至７のうちのいずれか１項に記載の積層物。
【請求項９】
前記感圧接着剤は、当該積層物が切断される地域におけるメートル坪量を減少させるようにパターン化される、請求項１乃至８のうちのいずれか１項に記載の積層物。
【請求項１０】
前記メートル坪量は、７５〜９０％だけ減少させられる、請求項９に記載の積層物。
【請求項１１】
前記地域は、２〜７ｍｍの範囲内の幅を有する、請求項９又は１０に記載の積層物。
【請求項１２】
前記感圧接着剤は、プルタブを形成するために感圧接着剤のない地域を残すように、前記第１及び第２の切口の間の前記地域内でパターン化される、請求項１乃至１１のうちのいずれか１項に記載の積層物。
【請求項１３】
前記切口は、レーザカッタによって作製される、請求項１乃至１２のうちのいずれか１項に記載の積層物。
【請求項１４】
包装物を形成する方法であって、
請求項１乃至１２のうちのいずれか１項に記載の積層物を得るためにレーザカッタを利用して積層物の織物を切断するステップと、
前記積層物を包装物に形成するステップと、
誘導シーラを利用して前記包装物を封止するステップとを含む、
方法。
【発明の詳細な説明】
【技術分野】
【０００１】
この開示は包装技術に関し、具体的には、積層包装物(laminate  package)における再封止可能な閉塞具(closure)の形成に関する。
【背景技術】
【０００２】
様々の製品を包装するために積層材料(laminate  material)を利用し得る。積層物(laminate)は可撓な包装材料をもたらす。可撓な包装材料はある範囲の構成に形成され得るし、利用される材料に依存する様々の特性を備え得る。積層物を結合させ、熱封止し、且つ印刷して、積層物を広範な包装用途における使用に適したものにし得る。
【０００３】
再封止可能な閉塞具を備える積層材料の提供は挑戦的であり、現在の方法は欠点を有する。
【０００４】
既知の再封止可能な積層包装物は、ジップロックシステム又は開封切口を備え且つ開封切口の上にラベルが位置付けられる積層材料のような、別個の閉塞装置(closure  device)を利用する。開口を露出させるようにラベルを引き剥がし、次に所定位置に戻し得るよう、ラベルは感圧接着剤で付着される。再封止可能な開口を提供するが、そのような構成は費用及び複雑さを増大させる。何故ならば、それらは別個の構成部品及び追加的な製造プロセスを必要とするからである。
【発明の概要】
【発明が解決しようとする課題】
【０００５】
再封止可能な開口を費用効果的で審美的に魅力的な方法において提供し得る積層包装システムの要求がある。
【課題を解決するための手段】
【０００６】
この概要は選択的な着想を簡潔化された形態において導入するために提供され、選択的な着想は以下に詳細な説明において更に記載される。この概要は請求する主題の鍵となる機能又は本質的な機能を特定することを意図せず、請求する主題の範囲を決定することにおける助けとして用いられることも意図しない。
【０００７】
包装物を形成するための積層物が提供され、当該積層物は、感圧接着剤によって第２の層に結合される第１の層と、第１の層を通じるが第２の層を通じない第１の切口と、第２の層を通じるが第１の層を通じない第２の切口とを含み、第１の切口は、第１の層においてフラップ地域を定め、第２の切口は、第１の層におけるフラップ地域内に第２の層におけるフラップ地域を定め、第１及び第２の切口の配置は、第１及び第２の層のフラップ地域が第１及び第２の切口に沿って共に持ち上げられて当該積層物における開口を創成することを可能にし、第１の層は、第１及び第２の切口の間の第１の地域におけるフラップの周辺領域において第２の層から分離される。
【０００８】
包装物を形成するための積層物が更に提供され、当該積層物は、永久接着剤によって内側の層に結合される第１の層と、第１の層が結合される内側の層の反対面で、感圧接着剤によって内側の層に結合される第２の層と、第１の層及び内側の層を通じるが第２の層を通じない第１の切口と、第２の層を通じるが内側の層又は第１の層を通じない第２の切口とを含み、第１の切口は、第１の層及び内側の層においてフラップ地域を定め、第２の切口は、第１の層及び内側の層におけるフラップ内に第２の層におけるフラップ地域を定め、第１及び第２の切口の配置は、第１、内側、及び第２の層のフラップ地域が第１及び第２の切口に沿って持ち上げられて当該積層物における開口を創成することを可能にし、第２の層は、第１及び第２の切口の間の第１の地域におけるフラップの周辺領域において内側の層から分離される
【０００９】
包装物を形成するための積層物が更に提供され、当該積層物は、感圧接着剤のみによって内側の層に結合される第１の層と、第１の層が結合される内側の層の反対面で、永久接着剤のみによって内側の層に結合される第２の層と、第１の層を通じるが内側の層又は第２の層を通じない第１の切口と、第２の層及び内側の層を通じるが第１の層を通じない第２の切口とを含み、第１の切口は、第１の層においてフラップ地域を定め、、第２の切口は、第１の層におけるフラップ地域内に内側の層及び第２の層におけるフラップ地域を定め、第１及び第２の切口の構成は、第１、内側、及び第２の層のフラップ地域が第１及び第２の切口に沿って持ち上げられて当該積層物における開口を創成することを可能にし、第１の層が、第１及び第２の切口の間の第１の地域におけるフラップの周辺領域において内側の層から分離される
【００１０】
第１及び第２の層は配向ポリプロピレンで形成し得る。
【００１１】
内側の層をアルミニウム箔で形成し得る。
【００１２】
積層物の少なくとも１つの面を低温接着剤で塗工し得る。
【００１３】
感圧接着剤は３〜８ミクロンの範囲内のメートル坪量(grammage)を有し得る。
【００１４】
永久接着剤は２〜３ミクロンの範囲内のメートル坪量を有し得る。
【００１５】
積層物が切断される地域におけるメートル坪量を減少させるように感圧接着剤をパターン化させ得る。
【００１６】
メートル坪量を７５〜９０％だけ減少させ得る。
【００１７】
前記地域は２〜７ｍｍの範囲内の幅を有し得る。
【００１８】
プルタブを形成するために感圧接着剤のない地域を残すよう、感圧接着剤を第１及び第２の切口の間の地域内でパターン化させ得る。
【００１９】
レーザカッタによって切口を作製し得る。
【００２０】
包装物を形成する方法も提供され、当該方法は、請求項１乃至９のいずれかに従った積層物を得るために、レーザカッタを利用して積層物の織物を切断するステップと、積層物を包装物に形成するステップと、誘導シーラを利用して包装物を封止（シール）するステップとを含む。
【００２１】
当業者に明らかなように、好適な機能を適宜組み合わせ得るし、本発明の特徴のいずれかと組み合わせ得る。
【００２２】
以下の図面を参照して本発明の実施態様を一例として記載する。
【図面の簡単な説明】
【００２３】
【図１】従来的なシート状の積層物を示す図である。
【図２ａ】シート状の積層物における再封止可能な開口をを示す図である。
【図２ｂ】シート状の積層物における再封止可能な開口をを示す図である。
【図２ｃ】シート状の積層物における再封止可能な開口をを示す図である。
【図３】部分的に開けられた図２の開口を示す図である。
【図４ａ】シート状の積層物における再封止可能な開口を示す図である。
【図４ｂ】シート状の積層物における再封止可能な開口を示す図である。
【図４ｃ】シート状の積層物における再封止可能な開口を示す図である。
【図５】タブを備える再封止可能な開口を示す図である。
【図６ａ】二層積層物における再封止可能な開口を示す図である。
【図６ｂ】二層積層物における再封止可能な開口を示す図である。
【図６ｃ】二層積層物における再封止可能な開口を示す図である。
【図７】再封止可能な開口を備える例示的な包装を示す図である。
【発明を実施するための形態】
【００２４】
類似の機能を表示するために図面を通じて共通の参照番号が用いられる。
【００２５】
本発明の実施態様をほんの一例として以下に記載する。これらの実施例は現時点で出願人に既知の本発明を実施する最良の方法を提示しているが、それらはこれを達成し得る唯一の方法ではない。本記載は実施例の機能及び実施例を構成し且つ作動する一連のステップを示している。しかしながら、同じ又は均等の機能及び順序を異なる実施例によって達成し得る。
【００２６】
図１は、包装材料としての使用に適した三層積層物を示している。第１の外側の層１００が、ポリマ材料、例えば２０ミクロンの配向ポリプロピレン（ＯＰＰ）で形成され、例えば９ミクロンのアルミニウム箔で形成される内側の層１０１に結合されている。内側の箔層１０１は、ポリマ材料で形成される第２の外側の層１０２に結合され、そのポリマ材料は、第１の外側の層と同じポリマ材料であるか或いは異なるポリマ材料であり得る。三重積層物構造は包装のために有利である。何故ならば、それは密封され且つ可撓であるからである。それらの層は永久積層接着剤を利用して一体に積層される。
【００２７】
図２は、図１の積層物と同程度の特性を有する積層包装物における再封止可能な開口の創成を可能にする三層２００，２０１，２０２積層材料を示している。それらの層を図１に関して記載した材料と同じ材料で形成し得るが、内側の層２０１及び第２の外側の層２０２は、従来的な積層物において用いられる永久接着剤とは対照的に、感圧接着剤（ＰＳＡ）を利用して結合される。第１の外側の層２００及び内側の層２０１は、従来的な永久接着剤２０４を利用して結合される。図２ａ及び２ｂの実施例において、第２の外側の層２０２は、積層材料で形成される包装物の内側を形成する。
【００２８】
再封止可能な開口を形成するために、第１の外側の層２００及び内側の層２０１において第１の切口２０６が形成される。第２の切口２０５が第２の外側の層２０２を通じて形成される。
【００２９】
図２ｂは、第２の外側（包装物の内側）から、切口２０５，２０６が形成された後の積層物を示している。図２ｃは、第１の外側（包装物の外側）から、切口２０５，２０６が形成された後の積層物を示している。破線は、実際の切口が図面から隠された材料の層を通じる故に特定の図において実際の切口が見えない場合の、切口２０５，２０６の場所を示している。
【００３０】
切口２０５，２０６は、積層材料のフラップ２０７を形成し、フラップ２０７は、フラップの頂部縁２０８に沿ってシート２０９の残部と一体的である。２つの切口２０５，２０６の場所は、フラップの層が積層物の残部の層の上に延在するオーバーラップ領域２１０を定める。フラップ２０７の中央地域は、全ての３つの層で形成されるのに対し、フラップの縁は、オーバーラップ領域２１０において内側の層２０１及び第１の外側の層２００で形成される。オーバーラップ領域２１０において、フラップの内側の層２０１は、２つの切口２０５，２０６の偏り（オフセット）の故にその領域において材料の残部の一部のままである第２の外側の層２０２に接着される。
【００３１】
図３は、図２の再封止可能な開口を部分的に開封した位置において示している。フラップ２０７は引っ張って開封され、オーバーラップ領域２１０を分離する。従って、地域３００は、第２の外側の層２０２を含む。ＰＳＡ２０３は、地域３０２において第１の内側の層２０１に接着されたままである。何故ならば、それはその材料のために外側の層の材料よりも大きい親和性を有するからである。フラップ２０７が開封されると、積層材料を通じて開口３０１が創成される。ＰＳＡを保持するフラップの縁領域を第２の外側の層２０２の露出地域３００に押し付けることによって開口３０１を再封止し、開口を図２ｂ及び２ｃに示される構成に戻し得る。それにより、選択的な層を通じる切口の配置及び２つの層の間の感圧接着剤の使用は、如何なる追加的な構成部品も必要とすることなく、積層材料における再封止可能な開口の形成を可能にする。
【００３２】
図４は、代替的な実施態様を示しており、そこでは、フラップ４０１の縁領域４００は、図２の実施態様において示されるような外側及び内側の層とは対照的に、外側の層のみで形成されている。図４は、内側の層４０２を含む積層物を示しており、内側の層４０２はＰＳＡ４０４によって第１の外側の層４０３に結合される。内側の層４０２は永久接着剤３０８によって第２の外側の層４０５にも結合される。
【００３３】
再封止可能な開口を形成するために、第１の外側の層４０３において第１の切口４０６が形成される。第２の切口４０７が第２の外側の層４０５及び内側の層４０２を通じて形成される。
【００３４】
図４ｂは、第２の外側（包装物の内側）から、切口４０６，４０７が形成された後の積層物を示している。図４ｃは、第１の外側（包装物の外側）から、切口４０６，４０７が形成された後の積層物を示している。破線は、実際の切口が図面から隠された材料の層を通じる故に特定の図において実際の切口が見えない場合の、切口４０６，４０７の場所を示している。
【００３５】
フラップの中央領域は、全ての３つの層４０２，４０４，４０５を含むが、オーバーラップ領域におけるフラップの縁は、第１の外側の層４０３のみで形成される。図４の開口は図２と同じ原理で作動するが、内側の層の間のオーバーラップ領域における分離は、オーバーラップ領域における積層物の残余の部分のままであり、フラップの部分ではない。フラップの縁はより薄いので、この構成は開口に対する異なる触感を与え得る。
【００３６】
フラップを開封し易くするよう、如何なる接着剤もない地域を残すために、いずれの実施態様の感圧接着剤もパターン化し得る。具体的には、オーバーラップ領域２１０内の地域を如何なる接着剤もないままにし得る。図５は、外側の切口５００がプルタブ５０１をもたらすように成形される開口の設計を示している。内側の層２０１と第２の外側の層２０２との間のＰＳＡ２０３は、プルタブ５０１より下の領域がＰＳＡがないようにパターン化される。従って、プルタブ５０１を容易に持ち上げ得るし、フラップ５０２を引っ張って開封するためにプルタブ５０１を用い得る。
【００３７】
理解されるように、オーバーラップ領域２１０をもたらすよう第１及び第２の切口の偏り関係が維持されるならば、切口の形状及び設計を各設計の審美的及び機能的な要求に従って異ならせ得る。例えば、設計に従って異なる形状を利用し得るし、フラップが開封されるときの材料の裂けを回避するよう、切口の曲率及び形状を選択し得る。切口設計がより複雑になる且つ／或いは切口線の寸法が増大するに応じて、開口を形成するのに要する時間は増大し得る。
【００３８】
上述の開口の変形では、二層積層物を利用し得る。上述の原理はそのような積層物に同じように当て嵌まる。図６は再封止可能な開口を備える二層積層物を示している。第１の層６００がＰＳＡ６０２を用いて第２の層６０１に結合される。
【００３９】
開口を形成するために、第１の層６００を通じて第１の切口６０３が作られ、第２の切口６０４が第２の層６０１を通じて作られる。前に説明したように、破線は特定の図面において見えない層を通じる切口を示している。第２の層６０１は積層材料で形成される包装物の外側を形成する。
【００４０】
再封止可能な開口は、フラップ６０５を引っ張って開封することによって上述の三重積層物開口と同様に開封し、オーバーラップ領域６０６の周りの層を分離する。プルタブをもたらすよう、ＰＳＡを前述のようにパターン化し得るし、上記のように、必要に応じて切口の形状及び設計を異ならせ得る。
【００４１】
上の実施態様を三層及び二層の積層物に関して記載したが、理解されるように、層の２つがＰＳＡで結合されるならば、如何なる数の層をも利用し得る。
【００４２】
所望の機械的及び感触的な性能をもたらすよう積層材料の層を選択し得る。例えば、より厚い材料はフラップを開封する使用者により良好な感触を与え得る。包装物の異なる特徴は、適切な材料を選択するために設計上の妥協を要求する異なる特性を必要とし得る。例えば、包装物の本体は、好ましくは、より剛的な包装物をもたらすためにより厚い材料を有し得るのに対し、フラップは、好ましくは、閉塞具の開封をより感触的にするためにより薄い材料を用い得る。材料の相対的な厚みは、製品の性能にも影響を及ぼし得る。例えば、金属層を厚くすることは、プラスチック層を厚くすることに対する異なる影響を有する。
【００４３】
ＰＳＡは、フラップを閉塞位置において保持するよう十分な結合が形成されると同時に、適切な力の適用によってフラップが開封されるのも可能にするように選択される。更に、ＰＳＡの同じ層が積層物の層を共に保持するので、結合は使用中の層間剥離を防止するのに十分でなければならない。適切な接着剤及び利用される接着剤の量の選択によって所要の結合を達成し得る。
【００４４】
平方メートル当たり２グラム（ｇｓｍ）未満の永久接着剤のメートル坪量(grammage)が不満足な審美的な外観を招き、気泡を形成し得る。３ｇｓｍより上の永久接着剤のメートル坪量が積層物作製取扱いのチュービング(tubing)及びカーリング(curling)を困難にさせ得る。ある実施態様では、２〜３ｇｓｍのメートル坪量で永久接着剤を塗布し得る。
【００４５】
３ｇｓｍより下のＰＳＡが積層物の層間剥離を引き起こし得る。８ｇｓｍより上のメートル坪量が積層物のチュービング及びカーリングを引き起こし得る。ある実施態様では、３〜８ｇｓｍのメートル坪量でＰＳＡを塗布し得る。
【００４６】
積層物において典型的に利用される永久接着剤とは対照的に、ＰＳＡは硬化しない。ここに記載する積層物からの包装物の形成中、シートを所要の形状に切断することが必要である。典型的には、これはブレード又はギロチンを用いて遂行される。ＰＳＡは硬化しないので、ＰＳＡはブレードに接着しがちであり、それにより、ブレードを汚し、切断効率を減少させる。この汚れを減少させるために、シートが切断されるべき領域において塗布される量を減少させるようＰＳＡをパターン化し得る。切断場所に中心化される５ｍｍの領域においてＰＳＡの塗布を７５〜９０％だけ減少させ得る。
【００４７】
誘導封止技術を利用して金属層を利用する積層物を包装物に形成し得る。積層物の少なくとも１つの外面が低温シーラントを備え、低温シーラントは、その温度が例えば７０℃よりも上に上昇させられるときに粘着性になる。積層物は所要の包装物に形成され、互いに接触し合って結合されるべき表面を用いて、積層物は誘導シーラに移行させられる。誘導シーラは包装物が通される磁場を生成する。これは内側の箔を通される電荷を誘導して熱を生成させる。この熱は積層物層を通じて伝わり、材料を包装物内に共に接着させる低温シーラントを加熱する。この封止プロセス中の高温はＰＳＡの性能に影響を及ぼし得、それは適切なＰＳＡ、材料、及び量を選択するときに考慮に入れられなければならない。
【００４８】
図２の代替的な実施態様が不正開封防止包装を提供する。第２の切口２０５は連続的な切口でなく、層２０２における穿孔、切込線、又はけがき線である。フラップが初めて開けられるとき、層２０２は穿孔の故に材料の残部と共に無傷のままである。開放フラップは内側の層２０１及び外側の層２００とで形成される。その場合、使用者は穿孔に沿って層２０２を引き裂くことによって包装を開封し得る。穿孔は図２に示されるようにフラップの３つの側にあり得る。その場合には、ＰＳＡが箔層に留まっているので、引裂き後、層は開放フラップの内側の層２０１に接着される。引き続きの開封後、図２を参照して記載したように、第２の外側の層２０２がフラップと共に開く。更なる代替では、開口内の第２の外側の層を包装物から完全に分離し得るよう、穿孔は開口地域の４つの側にあり得る。
【００４９】
切口４０７を穿孔と置換することによって、図４の実施態様の代替として類似の不正開封防止開口を形成し得る。
【００５０】
図７は、包装材料で形成され且つ前述のような再封止可能な開口７０１を含む例示的な包装物を示している。開口のための切口７０２，７０３が材料の織物に形成され、次に、それは既知の方法、例えば誘導加熱を利用して包装物７００に形成される。
【００５１】
従来的には、図７に示されるような包装物が利用されるとき、不正開封防止シールをもたらすために外側ラップも利用される。しかしながら、前述の不正開封防止開口の提供はラップの必要を取り除く。更に、タバコのような特定の製品のために、積層包装物は外部不正開封防止ラップを備える外部厚紙包装物内の二次的な内部包装物を用いる。しかしながら、再封止可能な可能な不正開封防止開口を備えるプリント積層包装物は、積層包装物が包装としてのみ利用されることを可能にし、それにより、費用を減少させ、包装プロセスを簡略化させる。
【００５２】
上記実施例はタバコのための包装に関連して与えられているが、理解されるように、同じ原理は如何なる種類の製品のための包装物にも当て嵌る。
【００５３】
レーザを用いて積層材料を切断することによって前述の再封止可能な閉塞具を形成し得る。図２に関連して、積層物のその側から外側の層２００を通じる第１の切口２０６を作るために、第１のレーザを利用し得る。内側金属層を通じて第１の切口２０６を続けるために第２の層を利用し得る。異なる材料は特定の材料の加熱を引き起こす波長で作動する異なる切断レーザを必要とするので、異なるレーザがこれらの層のために必要とされるのが典型的である。典型的には、外側の層及び内側の層を切断するのに必要とされる波長は異なる。第３のレーザによって第２の切口２０５を材料の他の側から作製し得る。積層材料の異なる側から第１及び第２の切口を切断することは、再封止可能な閉塞具設計によって必要とされるような、限定的な数の層のみを通じる切口の形成を可能にする。
【００５４】
他の切断技法を適宜利用し得る。例えば、積層に先立ち層において切口を形成し得るし、或いは異なる切断技法を用い得る。
【００５５】
上述の利益及び利点は１つの実施態様に関係し得るし或いは幾つかの実施態様に関係し得ることが理解されよう。実施態様は陳述の課題のいずれか又は全てを解決するもの或いは陳述の利益及び利点のいずれか又は全てを有するものに限定されない。
【００５６】
上の記載において、感圧接着剤（ＰＳＡ）という用語は、２つの表面を接着する接着剤の脈絡において用いられているが、それらの分離及び後の再接着を可能にする。接着剤の種類を制約することは意図されておらず、機能の記載としてのみ意図されている。
【００５７】
「ある」品目への言及は、それらの品目の１つ又はそれよりも多くを言及している。ここにおいて、「含む」という用語は、特定される方法ブロック又は要素を含むことを意味するために用いられるが、そのようなブロック又は要素は排他的なリストを含まず、方法又は装置は追加的なブロック又は要素を含み得る。
【００５８】
ここに記載する方法のステップを如何なる適切な順序においても或いは適切な場合には同時に実施し得る。加えて、ここに記載する主題の精神及び範囲から逸脱せずに、個々のブロックを本方法のいずれかから削除し得る。求められる効果を失わずに更なる実施例を形成するために、上述の実施例のうちのいずれかの実施例の特徴を、記載の他の実施例のうちのいずれかの実施例の特徴と組み合わせ得る。
【００５９】
好適実施態様の上記記載はほんの一例として与えられていること並びに当業者は様々の変更を行い得ることが理解されよう。特定の程度の具体性を伴って或いは１つ又はそれよりも多くの個々の実施態様を参照して様々の実施態様を上述したが、当業者は本発明の精神又は範囲から逸脱することなく開示の実施態様に対する数多くの変更を行い得る。
【図１】
2015526348.tif 000003
【図２ａ】
2015526348.tif 000004
【図２ｂ】
2015526348.tif 000005
【図２ｃ】
2015526348.tif 000006
【図３】
2015526348.tif 000007
【図４ａ】
2015526348.tif 000008
【図４ｂ】
2015526348.tif 000009
【図４ｃ】
2015526348.tif 000010
【図５】
2015526348.tif 000011
【図６ａ】
2015526348.tif 000012
【図６ｂ】
2015526348.tif 000013
【図６ｃ】
2015526348.tif 000014
【図７】
2015526348.tif 000015
【国際調査報告】
2015526348.tif 000016
2015526348.tif 000017
2015526348.tif 000018
2015526348.tif 000019